(57)【要約】      （修正有）【課題】金属リングが回転する時、端子の接触片と金属リングの干渉部との間にある明確的かつ規律的な受力変化により、触りフィーリングを創出する効果が得られ、また、この構造改良により、金属リングと端子の接触片との互いの作動を強化して、触りフィーリングの効果をより明白にし、また、耐用性の向上が実現されるローラーフィーリング構造を有するモバイルデバイスを提供する。【解決手段】ローラーフィーリング構造を有するモバイルデバイスは、一端に多数の干渉部１１が配置される中空柱体の金属リング１と、二つの支柱からなる支持構造と、支持構造上に固設され、接触片がある複数の端子３，３ａとからなり、当該端子は、当該金属リングの内縁と接触し、その一方の接触片の伸び入れ深度は、当該金属リングの干渉部の内縁を超えない。【選択図】図１
0003106678.tif 000002
【実用新案登録請求の範囲】
【請求項１】
中空柱体であり、また、一端には多数の干渉部が設置される金属リングと、
二つの支柱からなる支持構造と、
上記の支持構造上に固設され、それぞれ金属リングの両端から挿入され、金属リングの内縁と接触し、また、それぞれ接触片があり、少なくともその一つの接触片の伸び入れ深度が当該金属リングの一端の干渉部の内縁を超えない複数の端子と
を有する、ことを特徴とする、ローラーフィーリング構造を有するモバイルデバイス。
【請求項２】
当該金属リングの干渉部の外形は、金属リングの中空内縁の表面が異なる幾何形状である、ことを特徴とする、請求項１記載のローラーフィーリング構造を有するモバイルデバイス。
【請求項３】
当該金属リング端縁の干渉部は反形曲面である、ことを特徴とする、請求項１記載のローラーフィーリング構造を有するを有するモバイルデバイス。
【請求項４】
当該金属リング端縁の干渉部は平面である、ことを特徴とする、請求項１記載のローラーフィーリング構造を有するモバイルデバイス。
【請求項５】
当該支持構造のその一方の支柱の端面には固定部があり、他の一方の支柱の端面には当該固定部と結合する固定孔がある、ことを特徴とする、請求項１記載のローラーフィーリング構造を有するモバイルデバイス。
【請求項６】
当該二つの支柱の一端の両側には、それぞれ、当該支持構造上に固設するための、複数端子の接触片が伸び入れられる穿孔がある、ことを特徴とする、請求項１記載のローラーフィーリング構造を有するモバイルデバイス。
【請求項７】
当該金属リングの一端の干渉部の内縁へ伸び入れるのは、触りフィーリングを創出する効果が得られる比較的に短い接触片である、ことを特徴とする、請求項１記載のローラーフィーリング構造を有するモバイルデバイス。
【請求項８】
当該金属リングの内縁へ伸び入れられるのは、当該モバイルデバイスの電気伝送に供される比較的に長い接触片である、ことを特徴とする、請求項１記載のローラーフィーリング構造を有するモバイルデバイス。
【考案の詳細な説明】
【技術分野】
【０００１】
本考案は、ローラーフィーリング構造を有するモバイルデバイスに関し、特に、金属リングが回転する時、当該金属リングの干渉部と端子との間にある明確的かつ規律的な受力変化により、触りフィーリングの効果をより明白にし、また、耐用性の向上が実現される。
【背景技術】
【０００２】
一般に、従来のものは、図5のように、絶縁ローラは銅環４に環合され、当該銅環４はエンコーダともされる導体で、形状が中空柱体であり、当該銅環４の中央近傍には弾力片４１が設置され、当該弾力片４１は銅環４の中空部分へ突出し、当該銅環４は二つの支持アーム４２、４３が中央にある中空部分に挿入されることにより、支持され、また、その一方の支持アーム４２の外表面には突出４４がある。銅環４が回転する時、当該銅環４の弾力片４１と支持アーム４２の突出４４とが干渉(受力変化)することにより、端子には、移動されることや元に戻る現象が発生し、これにより、触りフィーリングを創出する効果が得られる。
【０００３】
上記の構造は、銅環４上の弾力片４１により触りフィーリングを創出する効果が得られるが、当該銅環４の弾力片４１においては受力変化が明白ではないため、触りフィーリングを創出する効果がよくないし、また、使用時、銅環４上の弾力片４１が支持アーム４２の外表面の突出４４と干渉しつづけるため、金属材である弾力片が支持アーム４２の突出４４に「旋削」と類似する作用を与えつづけるので、当該銅環４上の弾力片４１と支持アーム４２の突出４４との干渉が少しずつ減り、上記の従来の構造には耐用性が不足であるという問題がある。
【考案の開示】
【考案が解決しようとする課題】
【０００４】
本考案の目的は、弾力片に受力変化が明白でないため、触りフィーリングを創出する効果が良くないことを改善することである。
【０００５】
本考案の目的は、弾力片と支持アームの突出との干渉が少しずつ減り、構造に耐用性が不足であるという問題を改善することである。
【課題を解決するための手段】
【０００６】
本考案のローラーフィーリング構造を有するモバイルデバイスは、中空柱体であり、また、一端には多数の干渉部が設置される金属リングと、二つの支柱からなる支持構造と、上記の支持構造上に固設され、それぞれ金属リングの両端から挿入され、金属リングの内縁と接触し、また、それぞれ接触片があり、少なくともその一つの接触片の伸び入れ深度が当該金属リングの一端の干渉部の内縁を超えない複数の端子とを有する、ことを特徴とする。
【考案の効果】
【０００７】
金属リングが回転する時、端子の接触片と金属リングの干渉部との間にある明確的かつ規律的な受力変化により、触りフィーリングを創出する効果が得られ、また、この構造改良により、金属リングと端子の接触片との互いの作動を強化して、触りフィーリングの効果をより明白にし、また、耐用性の向上が実現される。
【考案を実施するための最良の形態】
【０００８】
図１〜図４Ｂは、それぞれ、本考案の立体外観の概念図や、本考案の立体分解の概念図、本考案の金属リングと端子との接続概念図、本考案の断面状態の概念図、及び本考案の他の断面状態の概念図である。図示のように、本考案は、ローラーフィーリング構造を有するモバイルデバイスであり、金属リング１と、支持構造２と、複数の端子３、３aとからなり、当該複数の端子３、３aには、接触片があり、金属リングが回転する時、端子の接触片と金属リングの干渉部との間にある明確的かつ規律的な受力変化により、触りフィーリングを創出する効果が得られ、また、この構造改良により、金属リングと端子接触片との互いの作動を強化して、触りフィーリングの効果をより明白にし、また、耐用性の向上が実現される。
【０００９】
上記の金属リング１は、中空柱体であり、また、金属リング１の一端には、多数の干渉部１１が設置され、当該干渉部１１は、反形曲面或いは平面であり、当該干渉部１１の外形は、金属リング１の中空内縁の表面とが、異なる幾何形状である。
【００１０】
当該支持構造２は、二つの支柱２１、２２からなる、当該支持構造２のその一方の支柱２２の端面には、固定部２２１があり、他の一方の支柱２１の端面には、当該固定部２２１と結合する固定孔２１１があり、当該二つの支柱２１、２２は、それぞれに、アーム２１２、２２２を金属リング１両端の内縁へ伸び入れ、また、当該二つの支柱２１、２２の一端の両側に、それぞれ穿孔２１３、２２３がある。
【００１１】
当該複数端子３、３aは、金属からなり、接触片３０、３１、３０a、３１aがあり、当該各端子３、３aの接触片３０、３１、３０a、３１aは、それぞれ、金属リング１の内縁の両端から挿入され、当該金属リング１の内縁に正向力を印可して、互いに当接する状態になり、また、その一方の端子３の比較的に短い接触片３１は、触りフィーリングを創出する効果を得るために、当該金属リング１の一端の干渉部１１の内縁へ伸び入れ、また、当該複数端子３、３aの接触片３０、３１、３０a、３１aは、それぞれ、二つの支柱２１、２２の穿孔２１３、２２３の中に設置され、当該複数端子３、３aは、その接触片３０、３１、３０a、３１aと穿孔２１３、２２３とにより、上記の支持構造上に固設され、また、当該複数端子３、３aが当該金属リング１の内縁と接触することにより、金属リング１が回転する時、当該金属リング１の縁にある干渉部１１と、端子３の接触片３１との間には、明確的かつ規律的な受力変化が発生し、これにより、触りフィーリングを創出する効果が得られ、また、複数の端子３、３aは、電気伝送に供される。
【００１２】
また、本考案の接触片３０と３１とは、同一の長さでもいいから、この時、当該接触片３０と３１とともに、干渉部１１の内縁に位置し、これにより、当該端子３が創出する触りフィーリングという効果が強化される。
【００１３】
また、図３、図４Ａ、図４Ｂから分かるように、使用する時、当該金属リング１の外部に、スリーブ（図示せず）が環合され、当該スリーブが往復回転する時、当該金属リング１がその回転と連動され回転し、互いに当接する干渉部１１と端子３とには、移動されることや元に戻る現象が発生し、当該金属リング１は、回転する時、当該接触片３１と干渉部１１とにより、明確的な触りフィーリングが創出でき、また、当該接触片３０は、当該モバイルデバイスの電気伝送に供され、また、本考案の触りフィーリング効果を強化するため、当該金属リング１が非回転する時、端子３の接触片３１は、特定の位置に位置付け、これは、当該干渉部１１の表面の反形曲面により、端子３のその一方の接触片３１が、金属リング１が非回転する時、特定の位置に位置付け、即ち、当該反形曲面の凹部に位置付ける。
【００１４】
以上の説明は、ただ、本考案のよりよい実施例であり、本考案の実施範囲を制限するものではなく、また、本願の実用新案請求の範囲や明細書の内容に従って等価修正や変更も、本考案の請求範囲に含まれている。
【図面の簡単な説明】
【００１５】
【図１】本考案の立体外観の概念図である。
【図２】本考案の立体分解の概念図である。
【図３】本考案の金属リングと端子との接続概念図である。
【図４Ａ】本考案の断面状態の概念図である。
【図４Ｂ】本考案の他の断面状態の概念図である。
【図５】従来の立体分解の概念図である。
【符号の説明】
【００１６】
（本考案部分）：
１            金属リング
１１          干渉部
２            支持構造
２１、２２    支柱
２１１        固定孔
２２１        固定部
２１２、２２２       アーム
２１３、２２３       穿孔
３、３a              端子
３０、３１、３０a、３１a    接触片
（従来部分）：
４            銅環
４１          弾力片
４２、４３    支持アーム
４４          突出
【図１】
0003106678.tif 000003
【図２】
0003106678.tif 000004
【図３】
0003106678.tif 000005
【図４Ａ】
0003106678.tif 000006
【図４Ｂ】
0003106678.tif 000007
【図５】
0003106678.tif 000008